(57)【要約】【課題】簡単でスピーディーに入力操作したい。【解決手段】母音文字列取得部１３０は、ユーザ入力操作に起因して、母音により形成される母音文字列を取得する。有意文字列取得部１４０は、所定の辞書１１０から、母音文字列取得部１３０により取得される母音文字列と、それぞれの文字の母音が共通する有意な文字列を取得する。提示部１５０は、有意文字列取得部１４０により取得される有意な文字列を、ユーザが選択可能な候補として提示する。【選択図】図１
2010198231.tif 000002
【特許請求の範囲】
【請求項１】
ユーザ入力操作に起因して、母音により形成される母音文字列を取得する母音文字列取得部と、
所定の辞書から、前記母音文字列取得部により取得される母音文字列と、それぞれの文字の母音が共通する有意な文字列を取得する有意文字列取得部と、
前記有意文字列取得部により取得される有意な文字列を、ユーザが選択可能な候補として提示する提示部と、
を備えることを特徴とする処理装置。
【請求項２】
五種類の母音と一対一に対応させた、五種類の指のそれぞれがタッチすべき五つの接触検出領域を持つ操作部、
をさらに備えることを特徴とする請求項１に記載の処理装置。
【請求項３】
前記辞書は、保持している有意な文字列ごとの、ユーザ入力操作に起因して選択された回数を示す選択回数を保持し、
前記提示部は、前記有意文字列取得部により複数の有意な文字列が取得される場合、その複数の有意な文字列を、前記選択回数を参照して、画面上に並べて表示することを特徴とする請求項１または２に記載の処理装置。
【請求項４】
前記辞書は、保持している有意な文字列ごとの、ユーザ入力操作に起因して選択された地域ごとの回数を示す地域別選択回数を保持し、
前記母音文字列取得部は、ユーザ入力操作に起因して形成される母音文字列とともに、その入力操作を行うユーザの位置情報を取得し、
前記提示部は、前記有意文字列取得部により複数の有意な文字列が取得される場合、その複数の有意な文字列を、取得された位置情報に対応する地域別選択回数を参照して、画面上に並べて表示することを特徴とする請求項１または２に記載の処理装置。
【請求項５】
前記辞書は、保持している有意な文字列ごとの、ユーザ入力操作に起因して選択された時間帯ごとの回数を示す時間帯別選択回数を保持し、
前記母音文字列取得部は、ユーザ入力操作に起因して形成される母音文字列とともに、その入力操作が行われる時刻情報を取得し、
前記提示部は、前記有意文字列取得部により複数の有意な文字列が取得される場合、その複数の有意な文字列を、取得された時刻情報に対応する時間別選択回数を参照して、画面上に並べて表示することを特徴とする請求項１または２に記載の処理装置。
【請求項６】
前記辞書は、保持している有意な文字列ごとの、ユーザ入力操作に起因して選択されたユーザ属性ごとの回数を示すユーザ属性別選択回数を保持し、
前記母音文字列取得部は、ユーザ入力操作に起因して形成される母音文字列とともに、その入力操作を行うユーザのユーザ属性を取得し、
前記提示部は、前記有意文字列取得部により複数の有意な文字列が取得される場合、その複数の有意な文字列を、取得されたユーザ属性に対応するユーザ属性別選択回数を参照して、画面上に並べて表示することを特徴とする請求項１または２に記載の処理装置。
【請求項７】
ユーザ入力操作に起因して入力された有意な文字列を、その有意な文字列とそれぞれの母音が共通する母音文字列に関連づけて前記辞書に登録する辞書管理部、
をさらに備えることを特徴とする請求項１から６のいずれかに記載の処理装置。
【発明の詳細な説明】
【技術分野】
【０００１】
本発明は、ユーザからの入力操作を直接または間接に受ける、処理装置に関する。
【背景技術】
【０００２】
携帯電話機や携帯型音楽プレーヤーなどの携帯機器の小型化が進んできており、その筐体に操作部を設置するスペースが狭くなってきている。また、携帯電話機を筆頭に、携帯機器の多機能化も進んできており、その操作が複雑になってきている。このような状況下、様々な入力形態の携帯機器が実用化されている。たとえば、QWERTY配列のキーボードを搭載したもの、タッチパネル入力が可能なもの（たとえば、特許文献１参照）、音声入力が可能なもの、などが実用化されている。
【先行技術文献】
【特許文献】
【０００３】
【特許文献１】特開２００８−２８２３８０号公報
【発明の概要】
【発明が解決しようとする課題】
【０００４】
携帯機器に搭載されるQWERTY配列のキーボードは、そのキー間隔が非常に狭くなってしまうため、操作性があまり高くない。また、もともと直感的な入力ではないため、ＰＣに不慣れなユーザにとって操作が難しい面もある。現状のタッチパネル入力は、目的の操作を達成するまでに多くのタッチ回数を必要とするものが多く、スピーディーに操作することが難しい。また、画面を見ながらでないと操作が難しいという面もある。音声入力は、直感的な操作であるが、現状ではあまり精度が高くなく、誤入力が多く発生してしまう。
【０００５】
本発明はこうした状況に鑑みなされたものであり、その目的は、簡単でスピーディーな入力操作を可能とする技術を提供することにある。
【課題を解決するための手段】
【０００６】
本発明のある態様の処理装置は、ユーザ入力操作に起因して、母音により形成される母音文字列を取得する母音文字列取得部と、所定の辞書から、母音文字列取得部により取得される母音文字列と、それぞれの文字の母音が共通する有意な文字列を取得する有意文字列取得部と、有意文字列取得部により取得される有意な文字列を、ユーザが選択可能な候補として提示する提示部と、を備える。
【０００７】
なお、以上の構成要素の任意の組み合わせ、本発明の表現を方法、装置、システム、記録媒体、コンピュータプログラムなどの間で変換したものもまた、本発明の態様として有効である。
【発明の効果】
【０００８】
本発明によれば、簡単でスピーディーな入力操作が可能となる。
【図面の簡単な説明】
【０００９】
【図１】本発明の実施の形態１に係る処理装置の構成を示すブロック図である。
【図２】辞書に保持されるデータ構造の第１例を示す図である。
【図３】表示部に表示される画面の第１例を示す図である。
【図４】辞書に保持されるデータ構造の第２例を示す図である。
【図５】表示部に表示される画面の第２例を示す図である。
【図６】辞書に保持されるデータ構造の第３例を示す図である。
【図７】表示部に表示される画面の第３例を示す図である。
【図８】操作部に設けられるタッチパネルの一例を示す図である。
【図９】実施の形態１に係る処理装置の動作を説明するためのフローチャートである。
【図１０】本発明の実施の形態２に係る処理システムの構成を示すブロック図である。
【発明を実施するための形態】
【００１０】
（実施の形態１）
図１は、本発明の実施の形態１に係る処理装置１００の構成を示すブロック図である。実施の形態１の説明では、処理装置１００として、携帯電話機、ＰＤＡ、スマートフォン、携帯型音楽プレーヤーなどの携帯機器を想定する。
【００１１】
当該処理装置１００は、辞書１１０、操作部１２０、母音文字列取得部１３０、有意文字列取得部１４０、提示部１５０、表示部１６０、処理部１７０および辞書管理部１８０を備える。これらの構成は、ハードウェア的には、任意のコンピュータのＣＰＵ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【００１２】
辞書１１０は、複数のワード、すなわち複数の有意文字列を保持する。また、有意文字列の各文字を母音に変換した母音文字列を、有意文字列と関連づけてそれぞれ保持する。たとえば、「やきにく」というワードは、「あいいう」と変換され、辞書１１０は、「やきにく」と「あいいう」とを関連づけて保持する。辞書１１０は、国語辞典のように有意文字列一般を網羅的に保持したものであってもよいし、曲名、人名、コンピュータ用語など特定のカテゴリに属する有意文字列を保持したものであってもよい。なお、辞書１１０にユーザが有意な文字列を登録できてもよい。その場合、辞書管理部１８０は、ユーザ入力操作に起因して入力された有意文字列を、その有意文字列とそれぞれの母音が共通する母音文字列に関連づけて辞書１１０に登録する。
【００１３】
操作部１２０は、ユーザ操作を受け付ける。実施の形態１では、母音の入力操作と選択決定操作を受け付ける。操作部１２０は、五種類の母音と一対一に対応させた、五種類の指のそれぞれがタッチすべき五つの接触検出領域を持つ。五つの接触検出領域は、タッチパネル上またはタッチパッド上に設けられる領域であってもよいし、五つのボタンであってもよい。五つの接触検出領域のそれぞれには、「あ」、「い」、「う」、「え」、「お」と表記されていてもよいし、「ａ」、「ｉ」、「ｕ」、「ｅ」、「ｏ」と表記されていてもよいし、「１」、「２」、「３」、「４」、「５」と表記されていてもよいし、「親指」、「人差指」、「中指」、「薬指」、「小指」と表記されていてもよい。
【００１４】
また、五つの接触検出領域の位置は、固定ではなく可変であってもよい。たとえば、五つの接触検出領域がタッチパネルまたはタッチパッド上に形成される場合で、かつユーザ入力操作で最初にタッチすべき指の種類（たとえば、中指）および向きが予め定められていることを前提とすると、上記タッチパネルまたはタッチパッド上に形成される五つの接触検出領域の位置は、ユーザ入力操作で最初にタッチされた位置に応じて設定される。この場合、ユーザがタッチパネルまたはタッチパッドを見ていない状態でも入力操作が可能となる。なお、上記タッチパネルまたはタッチパッド上に形成される五つの接触検出領域の位置を、ユーザによるプレタッチにより設定してもよい。このプレタッチで、力が抜けた状態の少なくとも三本以上の指がタッチされれば、それらの指の位置関係により、システム側でタッチされるべき指の位置および向きを推測することができる。この場合、ユーザは上記タッチパネルまたはタッチパッドの向きを認識していない状態でも、入力操作が可能となる。
【００１５】
母音文字列取得部１３０は、操作部１２０に対するユーザ入力操作に起因して、母音により形成される母音文字列を取得する。
有意文字列取得部１４０は、辞書１１０から、母音文字列取得部１３０により取得される母音文字列と、それぞれの文字の母音が共通する有意文字列を取得する。有意文字列取得部１４０は、原則として辞書１１０に存在するすべての当該有意文字列を提示部１５０に渡す。辞書１１０に当該有意文字列が存在しない場合、その旨、提示部１５０に通知する。
【００１６】
提示部１５０は、有意文字列取得部１４０により取得される有意文字列を、ユーザが選択可能な候補として提示する。実施の形態１では、その有意文字列を表示部１６０に表示する。その有意文字列が複数存在する場合、表示部１６０に羅列表示する。その場合、一つの有意文字列を選択可能なよう、一つのカーソルを一つの有意文字列上に重畳的に表示してもよい。
【００１７】
提示部１５０は、操作部１２０により受け付けられた、その有意文字列の羅列を見たユーザの選択操作に起因する選択情報を受信し、その選択情報に応じて、取得された複数の有意文字列から一つを選択する。そして、選択した有意文字列を処理部１７０に設定する。
処理部１７０は、その有意文字列の入力に応じた処理を実行する。
【００１８】
辞書１１０は、保持している有意文字列ごとの、ユーザ入力操作に起因して選択された回数を示す選択回数を保持してもよい。初期状態では、すべての有意文字列の選択回数がゼロに設定される。なお、当該選択回数は辞書１１０外に設けられる別のテーブルで管理されてもよい。
【００１９】
この場合、辞書管理部１８０は、操作部１２０に対して上記選択操作がなされるたびに、選択された有意文字列の選択回数をインクリメントする。提示部１５０は、有意文字列取得部１４０により複数の有意文字列が取得される場合、その複数の有意文字列を、選択回数を参照して、画面上に並べて表示する。たとえば、その複数の有意文字列を選択回数が多い順に並べて表示する。たとえば、上から下に並べて表示する。
【００２０】
有意文字列取得部１４０は、辞書１１０に、母音文字列取得部１３０により取得された母音文字列と、それぞれの母音が共通する有意文字列が複数登録されている場合、それら有意文字列の選択回数を参照して、その一部の有意文字列の取得を省略してもよい。たとえば、一回に取得する有意文字列の上限数が設定されていてもよい。その上限数を超える場合、選択回数が多い順にその上限数の有意文字列を取得してもよい。なお、一回目の取得によりユーザが所望する有意文字列が取得できなかった場合、ユーザが再トライの操作を実行することにより、有意文字列取得部１４０は、一回目に取得された有意文字列を除いて、選択回数が多い順に当該上限数の有意文字列を取得する。この処理を繰り返すことにより、ユーザが所望する有意文字列が辞書１１０に登録されていれば、所望の有意文字列を選択可能な状態を得ることができる。
【００２１】
辞書１１０は、保持している有意文字列ごとの、ユーザ入力操作に起因して選択された地域ごとの回数を示す地域別選択回数を保持してもよい。初期状態では、すべての有意文字列の地域別選択回数がゼロに設定される。
【００２２】
この場合、処理装置１００に図示しないＧＰＳ受信部が設けられ、ＧＰＳ受信部はＧＰＳ衛星からの信号をもとに位置情報を生成する。辞書管理部１８０は、操作部１２０に対して上記選択操作がなされるたびに、選択された有意文字列の、その選択操作がなされた位置情報に対応する地域の地域別選択回数をインクリメントする。母音文字列取得部１３０は、ユーザ入力操作に起因して形成される母音文字列とともに、その入力操作を行うユーザの位置情報を取得する。
【００２３】
提示部１５０は、有意文字列取得部１４０により複数の有意文字列が取得される場合、その複数の有意文字列を、取得された位置情報に対応する地域別選択回数を参照して、画面上に並べて表示する。たとえば、その複数の有意文字列を地域別選択回数が多い順に並べて表示する。たとえば、上から下に並べて表示する。なお、位置情報は、ＧＰＳ衛星からの信号にもとづいて生成される形態に限るものではなく、ユーザ入力など、他の形態により生成されてもよい。
【００２４】
辞書１１０は、保持している有意文字列ごとの、ユーザ入力操作に起因して選択された時間帯ごとの回数を示す時間帯別選択回数を保持してもよい。初期状態では、すべての有意文字列の時間別選択回数がゼロに設定される。
【００２５】
この場合、辞書管理部１８０は、操作部１２０に対して上記選択操作がなされるたびに、選択された有意文字列の、その選択操作がなされた時刻に対応する時間別選択回数をインクリメントする。母音文字列取得部１３０は、ユーザ入力操作に起因して形成される母音文字列とともに、その入力操作が行われる時刻情報を取得する。提示部１５０は、有意文字列取得部１４０により複数の有意文字列が取得される場合、その複数の有意文字列を、取得された時刻情報に対応する時間別選択回数を参照して、画面上に並べて表示する。たとえば、その複数の有意文字列を時間別選択回数が多い順に並べて表示する。たとえば、上から下に並べて表示する。
【００２６】
辞書１１０は、保持している有意文字列ごとの、ユーザ入力操作に起因して選択されたユーザ属性ごとの回数を示す時間帯別選択回数を保持してもよい。初期状態では、すべての有意文字列の時間別選択回数がゼロに設定される。当該ユーザ属性は、性別、年齢帯、出身地などであってもよい。
【００２７】
この場合、辞書管理部１８０は、操作部１２０に対して上記選択操作がなされるたびに、選択された有意文字列の、その選択操作がなされたユーザのユーザ属性に対応するユーザ属性別選択回数をインクリメントする。母音文字列取得部１３０は、ユーザ入力操作に起因して形成される母音文字列とともに、その入力操作が行われるユーザのユーザ属性を取得する。提示部１５０は、有意文字列取得部１４０により複数の有意文字列が取得される場合、その複数の有意文字列を、取得されたユーザ属性に対応するユーザ属性別選択回数を参照して、画面上に並べて表示する。たとえば、その複数の有意文字列をそのユーザ属性別選択回数が多い順に並べて表示する。たとえば、上から下に並べて表示する。
【００２８】
図２は、辞書１１０に保持されるデータ構造の第１例を示す図である。このデータ構造１１０ａでは、母音文字列１１１、有意文字列１１２、および選択回数１１３の項目を持つ。図２では、母音文字列が「おいえ」に対応する複数の有意文字列、および各有意文字列の選択回数を描いている。
【００２９】
図３は、表示部１６０に表示される画面の第１例を示す図である。この画面１６１ａは、操作部１２０に「おいえ」をユーザ入力した場合に表示される画面の第１例を示している。有意文字列取得部１４０は、「おいえ」に対応する有意文字列の、選択回数上位五つを図２に示した辞書１１０から取得する。提示部１５０は、その五つの有意文字列を選択回数が多い順に並べて表示している。現在選択されている有意文字列にはカーソル１６２ａが重畳されており、この状態でユーザが選択操作をすると、「トイレ」が選択される。なお、選択すべき有意文字列が決定された後、ユーザ操作に起因した、かな漢字変換が適宜、実行可能な構成であってもよい。
【００３０】
図４は、辞書１１０に保持されるデータ構造の第２例を示す図である。このデータ構造１１０ｂは、図２に示したデータ構造１１０ａと比較し、選択回数１１３が午前と午後に分類されて記録されている。
【００３１】
図５は、表示部１６０に表示される画面の第２例を示す図である。この画面１６１ｂは、操作部１２０に「おいえ」をユーザ入力した場合に表示される画面の第２例を示しているこのユーザ入力は午前中になされているとする。その場合、有意文字列取得部１４０は、「おいえ」に対応する有意文字列の、午前の選択回数上位五つを図４に示した辞書１１０から取得する。提示部１５０は、その五つの有意文字列を選択回数が多い順に並べて表示している。現在選択されている有意文字列にはカーソル１６２ｂが重畳されており、この状態でユーザが選択操作をすると、「起きて」が選択される。このように、時間帯に応じて使用されやすいワードを上位に表示させることができる。
【００３２】
図６は、辞書１１０に保持されるデータ構造の第３例を示す図である。このデータ構造１１０ｃは、図２に示したデータ構造１１０ａと比較し、選択回数１１３が東京、埼玉、・・・、と地域ごとに分類されて記録されている。
【００３３】
図７は、表示部１６０に表示される画面の第３例を示す図である。この画面１６１ｃは、操作部１２０に「おいえ」をユーザ入力した場合に表示される画面の第３例を示している。以下、処理装置１００を所持するユーザは自宅が埼玉にあり、会社が東京にある例を説明する。当該ユーザが会社で、「おいえ」を入力した場合、有意文字列取得部１４０は、「おいえ」に対応する有意文字列の、東京の選択回数上位五つを図６に示した辞書１１０から取得する。提示部１５０は、その五つの有意文字列を選択回数が多い順に並べて表示している。現在選択されている有意文字列にはカーソル１６２ｃが重畳されており、この状態でユーザが選択操作をすると、「小池」が選択される。たとえば、取引先に小池さんという名前の人がいる場合、会社で「小池」と入力する頻度が高くなる。このように、地域に応じて使用されやすいワードを上位に表示させることができる。
【００３４】
図８は、操作部１２０に設けられるタッチパネル１２０ａの一例を示す図である。このタッチパネル１２０ａは、五つの接触検出領域としての、「あ」のタッチゾーン１２１、「い」のタッチゾーン１２２、「う」のタッチゾーン１２３、「え」のタッチゾーン１２４および「お」のタッチゾーン１２５を有する。「あ」のタッチゾーン１２１、「い」のタッチゾーン１２２、「う」のタッチゾーン１２３、「え」のタッチゾーン１２４および「お」のタッチゾーン１２５は、それぞれ、親指、人差し指、中指、薬指および小指によりタッチがしやすい領域に設けられる。なお、ユーザの指の太さに応じて、これらのゾーン間の距離をカスタマイズする機能が設けられてもよい。
【００３５】
図９は、実施の形態１に係る処理装置１００の動作を説明するためのフローチャートである。母音文字列取得部１３０は、ユーザ入力操作に起因して生成される母音文字列を取得する（Ｓ１００）。有意文字列取得部１４０は、辞書１１０から、その母音文字列に対応する、少なくとも一つの有意文字列を取得する（Ｓ１０１）。提示部１５０は、取得された少なくとも一つの有意文字列を表示部１６０に表示する（Ｓ１０２）。提示部１５０は、ユーザ入力操作に起因して選択された有意文字列を、処理部１７０に供給するべき有意文字列に確定する（Ｓ１０３）。
【００３６】
以上説明したように実施の形態１によれば、母音文字列の入力操作と、その母音文字列に対応する、提示される有意文字列のなかから一つを選択する選択操作とにより、所望の文字列を入力することができる。したがって、簡単でスピーディーな入力操作が可能となる。また、選択回数が多い有意文字列が上位に表示されるように制御することにより、選択操作の際のカーソル移動の頻度を低減することができ、よりスピーディーな入力操作が可能となる。さらに、この選択回数を地域や時間帯ごとに分類して管理することにより、その処理をより最適化することができる。
【００３７】
（実施の形態２）
図１０は、本発明の実施の形態２に係る処理システム５００の構成を示すブロック図である。処理システム５００は、処理装置１００および複数の端末装置２００（図１０では、端末装置Ａ２００Ａ、端末装置Ｂ２００Ｂ、端末装置Ｃ２００Ｃ）を含む。処理装置１００と各端末装置２００とはネットワーク３００を介して通信可能な構成である。
【００３８】
実施の形態２の説明では、処理装置１００としてサーバまたはＰＣ、端末装置２００として、携帯電話機、ＰＤＡ、スマートフォン、携帯型音楽プレーヤーなどの携帯機器を想定する。なお、端末装置２００をＰＣとすることも可能である。
【００３９】
当該処理装置１００は、辞書１１０、母音文字列取得部１３０、有意文字列取得部１４０、提示部１５０、表示部１６０、処理部１７０、辞書管理部１８０を備える。以下、実施の形態１に係る処理装置１００と同じ機能を担う構成要素の説明を適宜、省略する。端末装置２００は、操作部２１０および表示部２２０を備える。操作部２１０および表示部２２０は、実施の形態１に係る処理装置１００の操作部１２０および表示部１６０と基本的に同じ機能である。
【００４０】
実施の形態２では、辞書１１０に保持される選択回数は、ネットワーク３００上に接続されたすべての端末装置２００からの、選択操作の回数となる。母音文字列取得部１３０は、端末装置２００の操作部２１０に対するユーザ入力操作に起因して、母音により形成される母音文字列を、ネットワーク３００を介して取得する。実施の形態２では、提示部１５０は、有意文字列取得部１４０により取得される有意文字列を、端末装置２００の表示部２２０に羅列して表示させるよう制御する。提示部１５０は、端末装置２００の操作部２１０により受け付けられた、その有意文字列の羅列を見たユーザの選択操作に起因する選択情報を、ネットワーク３００を介して受信し、その選択情報に応じて、取得された複数の有意文字列から一つを選択する。辞書管理部１８０は、ネットワーク３００上のいずれかの端末装置２００の操作部２１０に対して上記選択操作がなされるたびに、選択された有意文字列の選択回数をインクリメントする。
【００４１】
実施の形態２でも、実施の形態１で説明した様々なオプション的な処理を適宜、組み合わせて実施することができる。
以上説明したように実施の形態２も、実施の形態１と同様の効果を奏する。さらに、母音文字列から有意文字列への変換処理をネットワーク上のサーバまたはＰＣで行うことにより、既存の端末装置でも本発明に係る入力方法を実現することができる。また、辞書１１０をネットワーク上のサーバまたはＰＣに構築することにより、学習データとすべき上記選択回数のサンプル数を増やすことができる。したがって、有意文字列をランキング順にしたがって羅列表示する際、より高精度な順位で表示することが可能となる。
【００４２】
以上、本発明をいくつかの実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００４３】
上述した説明では、上記選択回数を分類するための基準として、地域、時間帯、ユーザ属性を挙げた。この点、上記ユーザ入力操作がウェブページの検索欄に文字列を入力するための操作である場合、上記選択回数を分類するための基準として、そのウェブページのカテゴリ（たとえば、ウェブページの内容で分類されたカテゴリ）が用いられてもよい。
【符号の説明】
【００４４】
１００  処理装置、  １１０  辞書、  １２０  操作部、  １３０  母音文字列取得部、  １４０  有意文字列取得部、  １５０  提示部、  １６０  表示部、  １７０  処理部、  １８０  辞書管理部、  ２００  端末装置、  ２１０  操作部、  ２２０  表示部、  ３００  ネットワーク、  ５００  処理システム。
【図１】
2010198231.tif 000003
【図２】
2010198231.tif 000004
【図３】
2010198231.tif 000005
【図４】
2010198231.tif 000006
【図５】
2010198231.tif 000007
【図６】
2010198231.tif 000008
【図７】
2010198231.tif 000009
【図８】
2010198231.tif 000010
【図９】
2010198231.tif 000011
【図１０】
2010198231.tif 000012